(57)【要約】【課題】より少ない資源を利用して、効果的なティッシュペーパー押し上げ板を提供する。【解決手段】およそ長方形の板からなるティッシュペーパー載置部と、該ティッシュペーパー載置部の長手方向の一方の中央に設けられた中央脚と、前記ティッシュペーパー載置部の該中央脚が設けられた長手方向とは異なるもう一方の長手方向の一端に設けられた右脚と、前記ティッシュペーパー載置部の前記中央脚が設けられた長手方向とは異なるもう一方の長手方向の一端であって、該右脚とは遠い側に設けられた左脚と、前記中央脚と前記右脚とをつなぐ右弾性体と、前記中央脚と前記左足とをつなぐ左弾性体とを有する。【選択図】図１５
2005247395.tif 000002
【特許請求の範囲】
【請求項１】
およそ長方形の板からなるティッシュペーパー載置部と、
該ティッシュペーパー載置部の長手方向の一方の中央に設けられた中央脚と、
前記ティッシュペーパー載置部の該中央脚が設けられた長手方向とは異なるもう一方の長手方向の一端に設けられた右脚と、
前記ティッシュペーパー載置部の前記中央脚が設けられた長手方向とは異なるもう一方の長手方向の一端であって、該右脚とは遠い側に設けられた左脚と、
前記中央脚と前記右脚とをつなぐ右弾性体と、
前記中央脚と前記左足とをつなぐ左弾性体と
を有するティッシュペーパー押し上げ板。
【請求項２】
請求項１に記載したティッシュペーパー押し上げ板であって、前記中央脚、前記右脚及び前記左脚には、ゴム輪を取り付け可能な切込みが設けられており、前記右弾性体及び前記左弾性体は、ゴム輪であるティッシュペーパー押し上げ板。
【請求項３】
請求項２に記載したティッシュペーパー押し上げ板であって、前記右脚及び左脚に設けた切込みがそれぞれ複数あって、前記ゴム輪の取り付け位置が選択可能であるティッシュペーパー押し上げ板。
【請求項４】
請求項２又は３のいずれかに記載したティッシュペーパー押し上げ板であって、前記ゴム輪は、一つのゴム輪を二重巻きにした状態で、前記中央脚に固定し、二重巻きの一方を前記右脚の切り込みに取り付け、二重巻きの他方を前記左脚の切り込みに取り付けたティッシュペーパー押し上げ板。
【請求項５】
請求項１、２、３又は４のいずれかに記載したティッシュペーパー押し上げ板であって、前記ティッシュペーパー載置部、前記中央脚、前記右脚及び前記左脚が一枚の厚紙により構成されて、それぞれのつながり部分が折り曲げられて構成されるティッシュペーパー押し上げ板。
【請求項６】
請求項１、２、３又は４のいずれかに記載したティッシュペーパー押し上げ板であって、前記ティッシュペーパー載置部、前記中央脚、前記右脚及び前記左脚がそれぞれ板状のプラスチックにより構成されて、それぞれのつながり部分が回転軸及び軸受けにより構成されるティッシュペーパー押し上げ板。
【発明の詳細な説明】
【技術分野】
【０００１】
本発明は、ティッシュペーパーの取り出し穴を有してティッシュペーパーを一枚ずつつぎつぎと取り出すティッシュペーパー箱の内部に、ティッシュペーパーの残り枚数が少ない時に収納して用いるティッシュペーパー押し上げ板に関するものである。
【背景技術】
【０００２】
特許文献１には、ティッシュペーパー収納箱内にあるティッシュペーパーを最後の一枚まで自動的に取り出す事を目的としたティッシュペーパー収納箱が開示されており、ティッシュペーパー箱内の底面における材料において紙、ゴム、バネにおいてこれらに準ずる各材質を使用すること、及びティッシュペーパー収納前のティッシュペーパー収納箱の内部中央の両側面及び、内部中央底部を沿うように敷紙及びゴム等が設けられティッシュペーパーを組み立てる事により底部から収納内にあるティッシュペーパーを自動的に押し上げるような構造にしたティッシュペーパー収納箱が提案されている。
また、特許文献２には、同様の目的を達成するための、弾性力を有する押上体であって、伸縮自在のものが提案されている。そして押上体１５は、伸縮自在に屈曲可能なシート体とそれ伸長方向に付勢するための弾性体とから構成すること、前記弾性体がゴム環からなること、シート体が再生紙から構成されることなどが、提案されている。
【特許文献１】実登３０５９６５９号公報
【特許文献２】実開平５−２９９８０号公報
【発明の開示】
【発明が解決しようとする課題】
【０００３】
解決しようとする問題点は、より少ない資源を利用して、効果的なティッシュペーパー押し上げ板を提供することである。
【課題を解決するための手段】
【０００４】
本発明のティッシュペーパー押し上げ板は、およそ長方形の板からなるティッシュペーパー載置部と、該ティッシュペーパー載置部の長手方向の一方の中央に設けられた中央脚と、前記ティッシュペーパー載置部の該中央脚が設けられた長手方向とは異なるもう一方の長手方向の一端に設けられた右脚と、前記ティッシュペーパー載置部の前記中央脚が設けられた長手方向とは異なるもう一方の長手方向の一端であって、該右脚とは遠い側に設けられた左脚と、前記中央脚と前記右脚とをつなぐ右弾性体と、前記中央脚と前記左足とをつなぐ左弾性体とを有する。
【０００５】
請求項２に記載した発明は、請求項１に記載したティッシュペーパー押し上げ板であって、前記中央脚、前記右脚及び前記左脚には、ゴム輪を取り付け可能な切込みが設けられており、前記右弾性体及び前記左弾性体は、ゴム輪であるものである。
【０００６】
請求項３に記載した発明は、請求項２に記載したティッシュペーパー押し上げ板であって、前記右脚及び左脚に設けた切込みがそれぞれ複数あって、前記ゴム輪の取り付け位置が選択可能である。
【０００７】
請求項４に記載した発明は、請求項２又は３のいずれかに記載したティッシュペーパー押し上げ板であって、前記ゴム輪は、一つのゴム輪を二重巻きにした状態で、前記中央脚に固定し、二重巻きの一方を前記右脚の切り込みに取り付け、二重巻きの他方を前記左脚の切り込みに取り付けたものである。
【０００８】
請求項５に記載した発明は、請求項１、２、３又は４のいずれかに記載したティッシュペーパー押し上げ板であって、前記ティッシュペーパー載置部、前記中央脚、前記右脚及び前記左脚が一枚の厚紙により構成されて、それぞれのつながり部分が折り曲げられて構成される。
【０００９】
請求項６に記載した発明は、請求項１、２、３又は４のいずれかに記載したティッシュペーパー押し上げ板であって、前記ティッシュペーパー載置部、前記中央脚、前記右脚及び前記左脚がそれぞれ板状のプラスチックにより構成されて、それぞれのつながり部分が回転軸及び軸受けにより構成される。
【発明の効果】
【００１０】
本発明のティッシュペーパー押し上げ板は、すくない資源を用いて効果的なティッシュペーパー押し上げ板を提供できるという利点がある。特に、切込みを複数設けることにより高さの調整が可能となる。
【発明を実施するための最良の形態】
【００１１】
以下、図面を参照しつつ、本発明の実施形態について説明する。図１から図６までは、本発明に係るティッシュペーパー押し上げ板を正投影図法により各図同一縮尺で作成した正面図、背面図、右側面図、左側面図、平面図及び底面図である。
【００１２】
図７は、厚紙を折ることにより本発明に係るティッシュペーパー押し上げ板を作る場合の展開図である。
【００１３】
本発明の最良の実施形態は、切込みを有する厚紙を折り曲げ、切り込み部にゴム輪をかけて組み立て、ティッシュペーパー箱に収納するティッシュペーパー押し上げ板である。
本ティッシュペーパー押し上げ板は、図７に示すようにおよそ長方形の板からなるティッシュペーパー載置部１０と、該ティッシュペーパー載置部１０の長手方向の一方の中央に設けられた中央脚２０と、前記ティッシュペーパー載置部１０の該中央脚２０が設けられた長手方向とは異なるもう一方の長手方向の一端に設けられた右脚３０と、前記ティッシュペーパー載置部１０の前記中央脚２０が設けられた長手方向とは異なるもう一方の長手方向の一端であって、該右脚３０とは遠い側に設けられた左脚４０とを有する。そして前記中央脚２０と前記右脚３０とをつなぐゴム輪５０と、前記中央脚２０と前記左脚４０とをつなぐゴム輪５０とを有する（図９、図１０、図１１などを参照）。
【００１４】
図７の展開図に示すように、中央脚２０、右脚３０及び左脚４０の長さはティッシュペーパー載置部１０の短手方向の長さとほぼ同等である。中央脚２０と右脚３０及び左脚４０の太さは、三つを足し合わせるとティッシュペーパー載置部１０の長手方向の長さと同等である。中央脚２０の短辺の真ん中にはゴム輪５０を固定可能な切り込み２１が設けられ、その切り込みの一番深いところにはゴム輪５０を固定するために円形の穴がある。右脚３０及び左脚４０にも同様の切り込み及び穴があるが、展開図に示されるように二つずつ（３１と３２、４１と４２）設けられている。
【００１５】
図１５（第１の使用状態）と図１６（第２の使用状態）にあるように、二つの使用状態が可能であって、それぞれ高さが異なる。第１の使用状態に至る組み立て方は、第一段階として、図８に示すようにゴム輪５０を２重巻きにして中央脚２０の切り込み２１に固定する。第二段階として、図９に示すように右脚３０及び左脚４０の遠い方の切り込み３１及び４１にゴム輪５０のもう一方の端を固定する。第三段階として、図１０に示すように三つの脚をティッシュペーパー載置部１０の裏側に接するまで折り込む。第四段階として、図１１に示すようにゴム輪５０の復元力に任せて戻す。これにより使用状態の一つ目が完成する。
【００１６】
第２の使用状態に至る組み立て方は、第一段階は第１の使用状態と同じである（図８）。第二段階として、図１２に示すように右脚３０及び左脚４０の近い方の切り込み３２及び４２にゴム輪５０のもう一方の端を固定する。その後の段階も、第１の使用状態と同様とすることによって第２の使用状態が完成する（図１３と図１４）。
【００１７】
以上説明した最良の実施形態では厚紙を使うこととしたが、厚紙の代わりにプラスティック板のようにより強度の強い材料を用いても良い。その場合ティッシュペーパー載置部１０と中央脚２０、右脚３０、左脚４０との間は軸と軸受けとによって接続され得る。あるいは一体成型する際に折り曲げ部分を肉薄として無理なく曲げることとしてもよい。
【００１８】
前記実施形態ではゴム輪を用いたがゴム輪の代わりにコイルバネのような弾性体を用いることも可能である。その場合には前記切り込みはコイルバネを取り付けることが可能な穴であることもできる。
【００１９】
ティッシュペーパーがいわゆるポケットティッシュサイズであればこの押し上げ板を構成するのに必要なゴム輪５０は最も汎用的なゴム輪を用いることができる。
【産業上の利用可能性】
【００２０】
このティッシュペーパー押し上げ板は既存のティッシュペーパー箱に組み合わせて使うためのものとして単独の部品として提供することもできるしこのティッシュペーパー押し上げ板を予め組み込んだティッシュペーパー箱を提供することもできる。
【図面の簡単な説明】
【００２１】
【図１】本発明に係るティッシュペーパー押し上げ板の正面図である。
【図２】本発明に係るティッシュペーパー押し上げ板の背面図である。
【図３】本発明に係るティッシュペーパー押し上げ板の右側面図である。
【図４】本発明に係るティッシュペーパー押し上げ板の左側面図である。
【図５】本発明に係るティッシュペーパー押し上げ板の平面図である。
【図６】本発明に係るティッシュペーパー押し上げ板の底面図である。
【図７】本発明に係るティッシュペーパー押し上げ板の展開図である。
【図８】本発明に係るティッシュパーパー押し上げ板の組み立て方の第一段階を示す図である。
【図９】本発明に係るティッシュペーパー押し上げ板の組み立て方の第二段階を示す図である。
【図１０】本発明に係るティッシュペーパー押し上げ板の組み立て方の第三段階を示す図である。
【図１１】本発明に係るティッシュペーパー押し上げ板の組み立て方の第四段階を示す図である。
【図１２】本発明に係るティッシュペーパー押し上げ板の他の使用状態のための組み立て方の第二段階を示す図である。
【図１３】本発明に係るティッシュペーパー押し上げ板の他の使用状態のための組み立て方の第三段階を示す図である。
【図１４】本発明に係るティッシュペーパー押し上げ板の他の使用状態のための組み立て方の第四段階を示す図である。
【図１５】本発明に係るティッシュペーパー押し上げ板の第１の使用状態を示す斜視図である。
【図１６】本発明に係るティッシュペーパー押し上げ板の第２の使用状態を示す斜視図である。
【符号の説明】
【００２２】
１０  ティッシュペーパー載置部
２０  中央脚
２１，３１，３２，４１，４２  切り込み
３０  右脚
４０  左脚
５０  ゴム輪
６０  ティッシュペーパー箱
６５  取り出し穴
７０  ティッシュペーパー
【図１】
2005247395.tif 000003
【図２】
2005247395.tif 000004
【図３】
2005247395.tif 000005
【図４】
2005247395.tif 000006
【図５】
2005247395.tif 000007
【図６】
2005247395.tif 000008
【図７】
2005247395.tif 000009
【図８】
2005247395.tif 000010
【図９】
2005247395.tif 000011
【図１０】
2005247395.tif 000012
【図１１】
2005247395.tif 000013
【図１２】
2005247395.tif 000014
【図１３】
2005247395.tif 000015
【図１４】
2005247395.tif 000016
【図１５】
2005247395.tif 000017
【図１６】
2005247395.tif 000018